(57)【特許請求の範囲】
【請求項１】
折り部を介して四枚の側板が連接して連接方向の一方の端部に位置する側板に設けた貼着片を連接方向のもう一方の端部に位置する側板に貼着して胴部が形成され、前記四枚の側板それぞれに連接されたフラップを閉じて閉鎖天部が形成され、前記四枚の側板それぞれに連接されたフラップを閉じて閉鎖底部が形成され、収容物取出し後に箱の内外を反転させた時に外方に表出する面に絵柄が設けられていて、前記貼着片を、該貼着片が相対する側板の外面に貼り付けている箱であって、
前記閉鎖底部では、折り倒しにより外層側に位置して相対する一対のフラップに跨るようにして透明貼着部材を貼り付けて閉鎖され、
前記閉鎖天部では、折り倒しにより外層側に位置して相対する一対のフラップを該一対のフラップの一部分を重なり合わせてこの一対のフラップに跨るようにして透明貼着部材を貼り付けて閉鎖されていることを特徴とする包装箱。
【請求項２】
上記絵柄が設けられている領域の何れかの個所に切り込み可能な部分を設けた請求項１に記載の包装箱。
【請求項３】
閉鎖底部以外の上記胴部を構成する側板と閉鎖天部を構成するフラップとに上記絵柄が設けられている請求項１または２に記載の包装箱。
【請求項４】
箱の構成材料が段ボールである請求項１から３の何れか一項に記載の包装箱。
【請求項５】
箱の内面と外面との少なくとも一方に、箱の内外反転方法の手順を説明する表示部が設けられている請求項１から４の何れか一項に記載の包装箱。
【請求項６】
上記絵柄は切り妻型家屋の絵柄であり、屋根面の絵柄部分が閉鎖天部における一対のフラップに対応配置されている請求項１から５の何れか一項に記載の包装箱。
【請求項７】
軒の絵柄部分がフラップの折り部に位置している請求項６に記載の包装箱。
【請求項８】
棟の絵柄部分に、屋根面の絵柄部分が対応位置するフラップを相互に係止させるための係止部材の絵柄が設けられている請求項６または７に記載の包装箱。
【発明の詳細な説明】
【０００１】
【発明の属する技術分野】
本発明は内面に絵柄を有している箱であって、その箱の内外を反転させることで絵柄が外部に表出した立体物として利用できるようにした包装箱に関するものである。
【０００２】
【発明が解決しようとする課題】
一般に包装箱は流通過程や店舗での陳列販売の時点などにおいて内容物を保護する目的により使用されていて、その包装箱に内容物を収めた商品として一般消費者が購入しており、内容物を取出した後にはその包装箱は廃棄処理されている。そして、昨今においてゴミの増加による環境破壊が問題視されるようになってきていることから、空箱となった包装箱をなにかしらの用途に再利用できるようにしたいとの要望がなされるようになってきた。この点から実開昭５９−１９５６６号に、内面に設けた絵柄が箱の内外反転にて外部に表出するようにした菓子容器が示されていて、箱胴部の貼着片を引き開いて箱胴部を反転できるようにしており、児童用の創作教材として再利用できるようにした工夫が提案されている。
一方、比較的収容量の大きい包装箱にあっては、箱の胴部における貼着片は比較的大型のものであって引き剥ぐことは容易ではない。このため、箱の展開を行なうにはその貼着片の基端部分で切断することになるが、貼着片は貼り合わせる相手となる側板に対してその側板の内面側から貼り合わされているため、貼着片を切断して箱を展開して内外が反転するように折り起こすようにすると、切断された貼着片が外部に表出するようになり、箱を反転して形成した立体物としては形態が損なわれてしまうという問題がある。
また、同様の収容量の大きい包装箱において、天部と底部とのフラップを折り倒して閉じるようにしており、そして、接着テープなどの貼着部材を、外層に位置する一対のフラップに跨るようにして貼り付けていて、閉鎖状態を確実なものとしているが、内容物を取出すに際して前記貼着部材を剥ぎ取るようにしてしまうとフラップ自体が裂けるなどして大きく損傷し易く、上述した箱の内外を反転させて立体物を形成する上で適正に形作れない可能性がある。そのため、前記貼着部材を剥ぎ取るのではなく、フラップの突き当て部分で生じている継ぎ目にカッターなどを入れて貼着部材を切断すればよいことになるが、その貼着部材が不透明であると適正な切断が行なえないという問題がある。
そこで本発明は上記事情に鑑み、箱の内外を反転して得る立体物の形態を損なうことのないようにすることを課題とし、空箱を有用に再利用できるようにすることを目的とする。
【０００３】
【課題を解決するための手段】
本発明は上記課題を考慮してなされたもので、折り部を介して四枚の側板が連接して連接方向の一方の端部に位置する側板に設けた貼着片を連接方向のもう一方の端部に位置する側板に貼着して胴部が形成され、前記四枚の側板それぞれに連接されたフラップを閉じて閉鎖天部が形成され、前記四枚の側板それぞれに連接されたフラップを閉じて閉鎖底部が形成され、収容物取出し後に箱の内外を反転させた時に外方に表出する面に絵柄が設けられていて、前記貼着片を、該貼着片が相対する側板の外面に貼り付けている箱であって、前記閉鎖底部では、折り倒しにより外層側に位置して相対する一対のフラップに跨るようにして透明貼着部材を貼り付けて閉鎖され、前記閉鎖天部では、折り倒しにより外層側に位置して相対する一対のフラップを該一対のフラップの一部分を重なり合わせてこの一対のフラップに跨るようにして透明貼着部材を貼り付けて閉鎖されていることを特徴とする包装箱を提供して、前記課題を解消するものである。
【０００４】
上記発明においては、上記絵柄が設けられている領域の何れかの個所に切り込み可能な部分を設けることができるものである。また、閉鎖底部以外の上記胴部を構成する側板と閉鎖天部を構成するフラップとに上記絵柄が設けられているものとすることができるものである。
そして、上記発明においては、箱の構成材料を段ボールとすることができるものであり、また、箱の内面と外面との少なくとも一方に、箱の内外反転方法の手順を説明する表示部が設けられていることが良好である。
さらに上記発明においては、上記絵柄は切り妻型家屋の絵柄であり、屋根面の絵柄部分が閉鎖天部における一対のフラップに対応配置されているものとすることができる。そして、この発明では、軒の絵柄部分がフラップの折り部に位置しているものとすることができるものであり、また、棟の絵柄部分に、屋根面の絵柄部分が対応位置するフラップを相互に係止させるための係止部材の絵柄が設けられているものとすることができるものである。
【０００５】
【発明の実施の形態】
つぎに本発明を図１から図５に示す実施の形態に基づいて詳細に説明する。
包装箱１は図１と図２とに示されているように、胴部２の上面を閉鎖天部３とし下面を閉鎖底部４とした六面体状のもので構成材料を段ボールとしており、胴部２にあっては、縦の折り部５を介して四方の側板６が連接してその連接方向の一方の端部に位置する側板６の側辺に折り部５を介して設けた貼着片７が他方の端部に位置する側板６に貼り付けてなるものであり、閉鎖天部３にあっては、前記側板６それぞれの上辺に横の折り部８を介して連接された四枚のフラップ９の内、相対する一組のフラップ９を折り部８から折り倒し、その外側に他の一組のフラップ９を折り倒して閉じたものであり、閉鎖底部４にあっては、側板６それぞれの下辺に横の折り部８を介して連接された四枚のフラップ１０の内、相対する一組のフラップ１０を折り部８から折り倒し、その外側に他の一組のフラップ１０を折り倒して閉じたものである。
【０００６】
そして、図１に示されているように本発明での包装箱１にあっては、胴部２での貼着片７は、相対する側板６の外面側に貼着されており、後述するようにこの包装箱１の内外を反転するために胴部２を開く際、例えば、貼着片７の折り部５で切断しても、胴部２の内外を反転した時に前記貼着片７が外部に表出しないようにしている（図４、図５参照）。
また、閉鎖天部３にあっては、外層側に位置する一対のフラップ９、９の両者の合わせ目に沿って両フラップ９、９にまたがるようにして帯状の透明貼着部材１１が貼り付けられて閉鎖されており、閉鎖底部４にあっても、外層側に位置する一対のフラップ１０、１０の両者の合わせ目に沿って両フラップ１０、１０にまたがるようにして帯状の透明貼着部材１１が貼り付けられて閉鎖されている。特に、前記閉鎖天部３にあっては、外層側に位置する一対のフラップ９、９は折り倒したときに一部分が重なり合うようにしており、その重ね合わせによる合わせ目に沿って透明貼着部材１１が貼り付けられている。このフラップ９、９は後述するように上端から所要寸法で切断除去してその切断部分を合わせたときにフラップ９それぞれが傾斜状態となるようにするためにある程度の高さ寸法を確保して形成されているものであり、これによって、閉鎖天部３を形成している時点では前述したようにフラップ９、９が一部分で重なり合うようになる。
このように、閉鎖天部３、閉鎖底部４それぞれは外層側に位置するフラップ９と９、そして１０と１０とを透明貼着部材１１で止め付けているため、箱を開封するとき、また、箱の内外を展開するときに、包装箱１を傷つけない位置を目視にて確認しながらその位置にカッターの刃を入れて透明貼着部材１１を切ることができるようになり、裂け目を生じさせることなく包装箱１を簡単に展開できる。
【０００７】
図３は上記包装箱１を展開して箱の内面１２が表われた状態（包装箱製函前のブランク）を示していて、この内面１２には四枚のフラップ１０を除いた部分に絵柄１３が設けられており、包装箱１の内外を反転して立体物を形成したときにこの絵柄１３が外面に表われるようにしている。この絵柄１３は切り妻型家屋の外表面を示したもので、窓の絵柄部分ａが開閉できるように、或いは開口となるように切り込み可能な部分１４として構成されている。
また、図３に示されているように、絵柄１３における屋根面の絵柄部分ｂが、上記閉鎖天部３で外層側としていた一対のフラップ９、９に対応配置され、妻側の絵柄部分ｃがもう一組のフラップ９、９に配置されている。さらに、この絵柄１３にあっては、軒の絵柄部分ｄが、閉鎖天部３で外層側としていた前記フラップ９、９の基端である折り部８に位置している。
上述したように絵柄１３が切り妻型家屋を表わしたものとなっていることから、その切り妻型家屋状の立体物を得るようにするために、妻側の絵柄ｃに沿って切り取り指示線１６があり、この切り取り指示線１６に沿って余剰部分を切り落とすことで山型のフラップが得られるようにしている。また、閉鎖天部３で外層側としていた一対のフラップ９、９にあっても、この両フラップ９で屋根面を形成するために傾斜させ、その傾斜状態で両フラップ９、９が連結し合うようにしているものであって、棟の絵柄部分ｅに、屋根面の絵柄部分が対応位置するフラップを相互に係止させるための係止部材の絵柄部分ｆを設け、棟の絵柄部分ｅと係止部材の絵柄部分ｆとに沿って切り取り指示線１６があり、その切り取り指示線１６に沿って余剰部分を除去すれば係止部材１７が形成され、この係止部材１７を相互に掛け止めることで、屋根の絵柄部分ｂがあるフラップ９、９の切断端部が合ってフラップ９、９それぞれが傾斜状態で維持されるようにしている。
【０００８】
上記絵柄１３が設けられていない前記フラップ１０には、この包装箱１を展開してから後述の不要部分を切除する点と箱の内外が反転するように組み起こして立体物を形成する点の手順を示した表示部１５が設けられている。なお、この表示部１５は包装箱１としての内面に限定されるものではなく、外面に設けるようにしてもよい。
【０００９】
上記構造の包装箱１にて内側の絵柄１３が外面に表われる立体物を得るには、閉鎖天部３、閉鎖底部４を開くとともに、胴部２を一つの折り部５の位置で切断して開いて展開状態とし、上記切り取り指示線１６から余剰部分を切り取ってから箱の内外が反転するように組み起こし、胴部２の切断箇所を貼着部材などにて連結するとともに、閉鎖底部４を構成していたフラップ１０を再び閉じて貼着部材などにより貼り付け固定する。また、屋根の絵柄部分ｂのあるフラップ９、９に形成されている係止部材１７、１７を相互に掛け止め、山型としたフラップ９、９とも貼着部材を用いて貼り合わせるようにする。必要に応じて切り込み部分１４を切り抜いたり切り起こししたりする。これによって、図５に示すように切り妻型家屋をかたどった立体物Ａが得られる。
【００１０】
【発明の効果】
以上説明した本発明の構成により、包装箱の内外を反転するように再び組み起こして立体物を形成するようにしても、貼着片が外面側に表出しないようになり、その立体物の外観を損なうことがない。また、透明貼着部材にて閉鎖天部と閉鎖底部とを形成したものにあっては、展開する際、透明貼着部材を通して包装素材に傷を付けずに切断できる箇所が容易に目視でき、損傷を与えることなく容易に箱の展開が行えるようになるなど、実用性に優れた効果を奏するものである。
【図面の簡単な説明】
【図１】  本発明に係る包装箱の一例における閉鎖天部を示す説明図である。
【図２】  同じく包装箱の一例における閉鎖底部を示す説明図である。
【図３】  一例の製函前のブランクスを示す説明図である。
【図４】  立体物を組み起こす状態を示す説明図である。
【図５】  包装箱を利用して形成された立体物を示す説明図である。
【符号の説明】
１…包装箱
２…胴部
３…閉鎖天部
４…閉鎖底部
６…側板
７…貼着片
８…折り部
９、１０…フラップ
１１…透明貼着部材
１３…絵柄
１４…切り込み可能な部分
１５…表示部
１６…切り取り指示線
１７…係止部材
ａ…窓の絵柄部分
ｂ…屋根の絵柄部分
ｃ…妻側の絵柄部分
ｄ…軒の絵柄部分
ｅ…棟の絵柄部分
ｆ…係止部材の絵柄部分
Ａ…立体物
【図１】
0003870623.tif 000002
【図２】
0003870623.tif 000003
【図３】
0003870623.tif 000004
【図４】
0003870623.tif 000005
【図５】
0003870623.tif 000006